(57)【特許請求の範囲】
【請求項１】
院内の放射線診断装置と院外の管理側装置とがサーバを介して通信可能に構成された診断システムであって、
院内の前記放射線診断装置と、当該放射線診断装置と同一の院内の各科に設置されたコンピュータとが通信可能に構成されており、
院内の前記各科に設置されたコンピュータは、
表示手段と、
院内の前記放射線診断装置に関する保守関連情報を、院外の前記管理側装置もしくは院内の前記放射線診断装置のいずれかから受信し、受信した前記保守関連情報を前記表示手段に表示するように制御する制御手段と
を備えることを特徴とする診断システム。
【請求項２】
請求項１に記載の診断システムにおいて、
院内の前記各科に設置されたコンピュータから院外の前記管理側装置へのアクセスに伴って院外の前記管理側装置からのデータを院内の当該コンピュータが受信することを特徴とする診断システム。
【請求項３】
請求項１または請求項２に記載の診断システムにおいて、
院外の前記管理側装置からのデータを院内の前記各科に設置されたコンピュータに送信して、当該データを前記表示手段に表示することを特徴とする診断システム。
【請求項４】
請求項１から請求項３のいずれかに記載の診断システムにおいて、
院外の前記管理側装置からの最新のマニュアルを前記表示手段に表示することを特徴とする診断システム。
【請求項５】
請求項１から請求項４のいずれかに記載の診断システムにおいて、
院内の前記各科に設置されたコンピュータからの要求あるいは指令を、院外の前記管理側装置に送信することを特徴とする診断システム。
【請求項６】
請求項１から請求項５のいずれかに記載の診断システムにおいて、
院内の前記放射線診断装置の状態を、院外の前記管理側装置および院内の前記各科に設置されたコンピュータに送信することを特徴とする診断システム。
【請求項７】
請求項６に記載の診断システムにおいて、
院内の前記放射線診断装置の状態に基づいて院内の前記各科に設置されたコンピュータは院内の前記放射線診断装置の一部または全部を再起動することを特徴とする診断システム。
【請求項８】
請求項１から請求項７のいずれかに記載の診断システムにおいて、
院内の前記放射線診断装置で得られた画像を読影用の画像として、院内の前記各科に設置されたコンピュータに送信することを特徴とする診断システム。
【発明の詳細な説明】
【技術分野】
【０００１】
この発明は、病院内（院内）の診断装置が、インターネットを介して通信可能に構成された診断システムに関する。
【背景技術】
【０００２】
従来、保守のために、院内の診断装置の状態を保守担当者にインターネットを介して遠隔で通知するようにしていた。具体的には、診断装置のメーカ側からの装置（以下、「管理側装置」と呼ぶ）と、院内の診断装置とを、インターネットを介して通信可能に構成していた。なお、診断装置と管理側装置との間にはサーバが介在されており、診断装置とサーバとがインターネットを介して接続されており、サーバと管理側装置とがインターネットを介して接続されている。本明細書中での「診断装置」は、診断を行う映像系のみならず、映像系を制御するコンピュータをも包含したシステムを示す。
【０００３】
ところで、インターネットを介して通信可能に構成されたシステムとして、例えば各種の家電器具を、サーバを介して接続するシステムがある（例えば、特許文献１参照）。
【先行技術文献】
【特許文献】
【０００４】
【特許文献１】米国特許出願公開第２００６／００８５５２５号明細書
【発明の概要】
【発明が解決しようとする課題】
【０００５】
しかしながら、このような構成を有する従来例の場合には、次のような問題がある。
すなわち、総合病院などの大きな病院では各科（内科や外科や泌尿器科等）があり、病院内（院内）では、各科に設置された問診用や読影用等の各種コンピュータがある。これらの問診用や読影用等のコンピュータを、以下、総称して「院内のデバイス」あるいは単に「デバイス」とする。院内のデバイスにおいてデータの送受信を自在に行いたいという要望がある。
【０００６】
この発明は、このような事情に鑑みてなされたものであって、院内のデバイスと管理側装置とのデータの送受信を行うことができる診断システムを提供することを目的とする。
【課題を解決するための手段】
【０００７】
この発明は、このような目的を達成するために、次のような構成をとる。
すなわち、この発明に係る診断システムは、院内の放射線診断装置と院外の管理側装置とがサーバを介して通信可能に構成された診断システムであって、院内の前記放射線診断装置と、当該放射線診断装置と同一の院内の各科に設置されたコンピュータとが通信可能に構成されており、院内の前記各科に設置されたコンピュータは、表示手段と、院内の前記放射線診断装置に関する保守関連情報を、院外の前記管理側装置もしくは院内の前記放射線診断装置のいずれかから受信し、受信した前記保守関連情報を前記表示手段に表示するように制御する制御手段とを備えることを特徴とするものである。
【０００８】
［作用・効果］この発明に係る診断システムによれば、サーバに接続された院内の放射線診断装置と同一の院内の各科に設置されたコンピュータと、当該放射線診断装置とを通信可能に構成することで、放射線診断装置のデータ，院内の各科に設置されたコンピュータのデータおよび院外の管理側装置のデータを、診断システム内において共有することができる。その結果、サーバを介して、院内のデバイス（院内の各科に設置されたコンピュータ）と管理側装置とのデータの送受信を行うことができる。
特に、院内の放射線診断装置に関する保守関連情報を、院外の管理側装置もしくは院内の放射線診断装置のいずれかから制御手段は受信し、当該制御手段は、受信した保守関連情報を表示手段に表示するように制御する。このように保守関連情報を表示手段に表示することで、院内の各科に設置されたコンピュータを使用するユーザ（医師や技師や看護師など）に保守関連情報を公開することができる。
【０００９】
上述したこの発明に係る診断システムにおいて、院内の各科に設置されたコンピュータから院外の管理側装置へのアクセスに伴って院外の管理側装置からのデータを院内の当該コンピュータが受信するのが好ましい。すなわち、院内の各科に設置されたコンピュータから院外の管理側装置へアクセスすることによって、院内の各科に設置されたコンピュータからの要求に従って院外の管理側装置からのデータを院内の各科に設置されたコンピュータが受信するようにする。言い換えれば、院内の各科に設置されたコンピュータからの要求がないのにも関わらず院外の管理側装置からのデータを院内の各科に設置されたコンピュータが受信しないようにする。
【００１０】
上述したこれらの発明に係る診断システムにおいて、院外の管理側装置からのデータを院内の各科に設置されたコンピュータに送信して、当該データを表示手段に表示するのが好ましい。すなわち、院外の管理側装置を使用する者（例えばメーカ担当者）が、サーバや院内の放射線診断装置を介して、院外の管理側装置からのデータを院内の各科に設置されたコンピュータに遠隔に発信することができ、当該データを表示手段に表示することで、院内の各科に設置されたコンピュータを使用するユーザ（例えば医師や技師や看護師など）に当該データを公開することができる。
【００１２】
院外の管理側装置からの最新のマニュアルを表示手段に表示する。最新のマニュアルを表示手段に表示することで、院内の各科に設置されたコンピュータを使用するユーザ（医師や技師や看護師など）に最新のマニュアルを公開することができる。
【００１３】
上述したこれらの発明に係る診断システムにおいて、院内の各科に設置されたコンピュータからの要求あるいは指令を、院外の管理側装置に送信するのが好ましい。すなわち、院内の各科に設置されたコンピュータを使用するユーザ（医師や技師や看護師など）が、院内の放射線診断装置やサーバを介して、院外の管理側装置に遠隔に発信することができる。その結果、院外の管理側装置を使用する者（メーカ担当者）に上述の各種の要求や指令を遠隔に発信することができる。
【００１４】
上述したこれらの発明に係る診断システムにおいて、院内の放射線診断装置の状態を、院外の管理側装置および院内の各科に設置されたコンピュータに送信するのが好ましい。院内の放射線診断装置の状態を、院外の管理側装置を使用する者（メーカ担当者）および院内の各科に設置されたコンピュータを使用するユーザ（医師や技師や看護師など）に遠隔に発信することができる。院内の放射線診断装置の状態を表示手段に表示することで、院内の各科に設置されたコンピュータを使用するユーザ（医師や技師や看護師など）に院内の放射線診断装置の状態を公開することができる。
【００１５】
院内の放射線診断装置の状態を、院外の管理側装置および院内の各科に設置されたコンピュータに送信する場合において、院内の放射線診断装置の状態に基づいて院内の各科に設置されたコンピュータは院内の放射線診断装置の一部または全部を再起動するようにしてもよい。これにより、院内の各科に設置されたコンピュータは院内の放射線診断装置の一部または全部を再起動するように院内の放射線診断装置を遠隔に制御することができる。
【００１６】
また、上述したような保守関連情報やマニュアルや院内の放射線診断装置の状態以外にも、院内の放射線診断装置で得られた画像を読影用の画像として、院内の各科に設置されたコンピュータに送信してもよい。
【発明の効果】
【００１７】
この発明に係る診断システムによれば、サーバに接続された院内の放射線診断装置と同一の院内の各科に設置されたコンピュータと、当該放射線診断装置とを通信可能に構成することで、院内のデバイス（院内の各科に設置されたコンピュータ）と院外の管理側装置とのデータの送受信を行うことができる。
特に、院内の放射線診断装置に関する保守関連情報を、院外の管理側装置もしくは院内の放射線診断装置のいずれかから制御手段は受信し、当該制御手段は、受信した保守関連情報を表示手段に表示するように制御することで、院内の各科に設置されたコンピュータを使用するユーザ（医師や技師や看護師など）に保守関連情報を公開することができる。
【図面の簡単な説明】
【００１８】
【図１】実施例に係る診断システムのブロック図である。
【図２】図１をより具体化した診断システムにおける院内のＸ線装置および院内のデバイスのブロック図である。
【実施例】
【００１９】
以下、図面を参照してこの発明の実施例を説明する。
図１は、実施例に係る診断システムのブロック図であり、図２は、図１をより具体化した診断システムにおける院内のＸ線装置および院内のデバイスのブロック図である。本実施例では、診断装置としてＸ線装置を例に採って説明する。
【００２０】
図１に示すように、診断システム１は、病院内（院内）のＸ線装置１０と管理側装置２０とがサーバ３０を介して通信可能に構成されている。なお、院内のＸ線装置１０とサーバ３０とがインターネット（図１では「Internet」で表記）を介して接続されており、サーバ３０と管理側装置２０とがインターネット（図１では「Internet」で表記）を介して接続されている。また、院内のＸ線装置１０と、当該Ｘ線装置１０と同一の院内のデバイス１５とを通信可能に構成している。ここでは、Ｘ線装置１０とデバイス１５とは院内ネットワーク（図１では「Network」で表記）を介して接続されている。インターネットや院内ネットワークについては、有線・無線を特に問わない。Ｘ線装置１０は、この発明における院内の診断装置に相当する。
【００２１】
Ｘ線装置１０は、図２で後述するように、診断を行う映像系１２（図２を参照）のみならず、映像系１２を制御するメンテナンスコンピュータ１１（図２を参照）をも包含したシステムを示す。デバイス１５は、図２で後述するように院内の各科に設置された問診用のコンピュータ１７（図２を参照）や読影用のコンピュータ（図示省略）などで構築されている。管理側装置２０は、コンピュータで構成されており、コールセンター（図示省略）に接続されている。図１では、サーバ３０は、診断装置のメーカ専用として設けられているが、一般的なサーバで構築されていてもよい。
【００２２】
具体的に、Ｘ線装置１０およびデバイス１５は、図２に示すような構成となっている。
図２に示すように、Ｘ線装置１０は、メンテナンスコンピュータ１１（図２では「MPC」で表記）と映像系１２と複数のコンピュータ１３（図２では「PC」で表記）とを備えている。
【００２３】
メンテナンスコンピュータ１１は映像系１２を制御し、複数のコンピュータ１３に接続されている。メンテナンスコンピュータ１１とサーバ３０（図１を参照）との間に、モデムＭ（図２では「Modem」で表記）およびルータＲ１（図２では「Router」で表記）が介在されている。モデムＭは変復調装置（modulator-demodulator）である。ルータＲ１は、複数の機器が接続可能であり、かつデータの送受信の制限を行う。本実施例では、院内のＸ線装置１０およびデバイス１５、特にデバイス１５からの要求に従って管理側装置２０（図１を参照）からのデータを院内のデバイス１５が受信するように、ルータＲ１はデータの受信の制限を行う。
【００２４】
本実施例では、映像系１２は、Ｘ線による診断を行うものであって、例えばＸ線を照射するＸ線管や照射されたＸ線を検出するＸ線検出器やＸ線管やＸ線検出器を支持して移動させる機構（ここではＣ型アーム）などで構成されている。各々のコンピュータ１３は、映像系１２のＸ線検出器で得られたＸ線に基づいて画像処理を行う画像処理専用のコンピュータや、画像処理後のＸ線画像を表示するモニタ用のコンピュータなどでそれぞれ構成されている。
【００２５】
Ｘ線装置１０とデバイス１５との間にルータＲ２（図２では「Router」で表記）が介在されている。ルータＲ１と同様に、ルータＲ２は、複数の機器が接続可能であり、かつデータの送受信の制限を行う。本実施例では、院内のデバイス１５からの要求に従って管理側装置２０（図１を参照）からのデータを院内のデバイス１５が受信するように、ルータＲ２はデータの受信の制限を行う。
【００２６】
院内のデバイス１５は、モニタ１６および問診用のコンピュータ１７などを備えている。モニタ１６は、管理側装置２０（図１を参照）からのデータをモニタ１６に表示するように構成されている。なお、モニタ１６は読影用のモニタを兼用してもよい。管理側装置２０からのデータとしては、例えばＸ線装置１０の保守関連情報やマニュアルである。その他にも、メーカへの通知やメーカからの通知やＸ線装置１０の状態などをモニタ１６に表示してもよい。各々の問診用のコンピュータ１７は、院内の各科にそれぞれ設置されている。なお、管理側装置２０からのデータを問診用のコンピュータ１７のモニタに表示するようにしてもよい。モニタ１６および問診用のコンピュータ１７は、この発明における表示手段に相当する。
【００２７】
次に、送受信の対象となる各データやＸ線装置１０の状態などについて説明する。上述したように、管理側装置２０からのデータ（例えば、Ｘ線装置１０の保守関連情報やマニュアル）を院内のデバイス１５に送信して、当該データをモニタ１６あるいは問診用のコンピュータ１７のモニタに表示する。これらのデータをデバイス１５が受信する場合には、ルータＲ１，Ｒ２によってデータの受信の制限を行う。すなわち、デバイス１５からの要求に従って管理側装置２０からのデータを院内のデバイス１５が受信するように、ルータＲ１，Ｒ２はデータの受信の制限を行う。
【００２８】
また、院内のデバイス１５からの要求（例えば管理側装置２０からのデータに関する受信の要求）あるいは指令（例えばメーカへの通知）を、管理側装置２０に送信する。例えば、Ｘ線装置１０の保守関連情報や最新のマニュアルが必要な場合には、Ｘ線装置１０の保守関連情報や最新のマニュアルをデバイス１５が受信するために、院内のデバイス１５からの要求を管理側装置２０に送信することで、デバイス１５から管理側装置２０へアクセスする。デバイス１５から管理側装置２０へアクセスすることによって、デバイス１５からの要求（ここではＸ線装置１０の保守関連情報や最新のマニュアルに関する要求）に従って管理側装置１５からのデータ（ここではＸ線装置１０の保守関連情報や最新のマニュアル）をデバイス１５が受信する。これらの要求や指令については、送信の制限を行わずに、かつパススルー方式（変調を行わずに伝送する方式）で管理側装置２０に送信するのが好ましい。
【００２９】
また、Ｘ線装置１０の状態を、管理側装置２０および院内のデバイス１５に送信する。Ｘ線装置１０の状態は、例えばログ（履歴）やアラート（警報）などを含むシステム状態やシステム操作である。これらのＸ線装置１０の状態を、自身のＸ線装置１０のモニタ（例えばメンテナンスコンピュータ１１のモニタやコンピュータ１３のモニタ）に表示するとともに、送信先のデバイス１５のモニタ１６や問診用のコンピュータ１７のモニタに表示する。
【００３０】
これらのＸ線装置１０の状態に基づいて院内のデバイス１５はＸ線装置１０の一部（例えば映像系１２のみ）または全部を再起動する。再起動については、Ｘ線装置１０の状態をデバイス１５が受信すると自動的に行われるようにしてもよいし、Ｘ線装置１０の状態をモニタ１６や問診用のコンピュータ１７のモニタに表示した後に、デバイス１５を使用するユーザ（医師や技師や看護師など）による入力操作により手動で行われるようにしてもよい。
【００３１】
以上のように構成された本実施例に係る診断システム１によれば、サーバ３０に接続された診断装置（本実施例ではＸ線装置１０）と同一の院内のデバイス１５と、当該診断装置（Ｘ線装置１０）とを通信可能に構成することで、診断装置（Ｘ線装置１０）のデータ，院内のデバイス１５のデータおよび管理側装置２０のデータを、診断システム１内において共有することができる。その結果、サーバ３０を介して、院内のデバイス１５と管理側装置２０とのデータの送受信を行うことができる。
【００３２】
本実施例では、院内のデバイス１５から管理側装置２０へのアクセスに伴って管理側装置２０からのデータを院内の当該デバイス１５が受信するのが好ましい。すなわち、院内のデバイス１５から管理側装置２０へアクセスすることによって、院内のデバイス１５からの要求に従って管理側装置２０からのデータを院内のデバイス１５が（本実施例ではルータＲ１，Ｒ２により）が受信するようにする。言い換えれば、院内のデバイス１５からの要求がないのにも関わらず管理側装置２０からのデータを院内のデバイス１５が受信しないようにする。
【００３３】
本実施例では、院内のデバイス１５は表示手段（本実施例ではモニタ１６や問診用のコンピュータ１７のモニタ）を備え、管理側装置２０からのデータを院内の当該デバイス１５に送信して、当該データを表示手段（モニタ１６や問診用のコンピュータ１７のモニタ）に表示するのが好ましい。すなわち、管理側装置２０を使用する者（メーカ担当者）が、サーバ３０や院内の診断装置（Ｘ線装置１０）を介して、管理側装置２０からのデータを院内のデバイス１５に遠隔に発信することができ、当該データを表示手段（モニタ１６や問診用のコンピュータ１７のモニタ）に表示することで、院内のデバイス１５を使用するユーザ（医師や技師や看護師など）に当該データを公開することができる。
【００３４】
上述したように管理側装置２０からのデータは、診断装置（Ｘ線装置１０）の保守関連情報やマニュアルであって、当該保守関連情報や最新の当該マニュアルを表示手段（モニタ１６や問診用のコンピュータ１７のモニタ）に表示する。保守関連情報や最新のマニュアルを表示手段（モニタ１６や問診用のコンピュータ１７のモニタ）に表示することで、院内のデバイス１５を使用するユーザ（医師や技師や看護師など）に保守関連情報や最新のマニュアルを公開することができる。
【００３５】
本実施例では、院内のデバイス１５からの要求あるいは指令を、管理側装置２０に送信するのが好ましい。すなわち、院内のデバイス１５を使用するユーザ（医師や技師や看護師など）が、院内の診断装置（Ｘ線装置１０）やサーバ３０を介して、管理側装置２０に遠隔に発信することができる。その結果、管理側装置２０を使用する者（メーカ担当者）に上述の各種の要求や指令を遠隔に発信することができる。
【００３６】
本実施例では、診断装置（Ｘ線装置１０）の状態を、管理側装置２０および院内のデバイス１５に送信するのが好ましい。診断装置（Ｘ線装置１０）の状態を、管理側装置２０を使用する者（メーカ担当者）および院内のデバイス１５を使用するユーザ（医師や技師や看護師など）に遠隔に発信することができる。本実施例で上述したような院内のデバイス１５が表示手段（モニタ１６や問診用のコンピュータ１７のモニタ）を備える場合には、診断装置（Ｘ線装置１０）の状態を表示手段（モニタ１６や問診用のコンピュータ１７のモニタ）に表示することで、院内のデバイス１５を使用するユーザ（医師や技師や看護師など）に診断装置（Ｘ線装置１０）の状態を公開することができる。
【００３７】
診断装置（Ｘ線装置１０）の状態を、管理側装置２０および院内のデバイス１５に送信する場合において、診断装置（Ｘ線装置１０）の状態に基づいて院内のデバイス１５は診断装置（Ｘ線装置１０）の一部または全部を再起動するようにしてもよい。これにより、院内のデバイス１５は診断装置（Ｘ線装置１０）の一部または全部を再起動するように診断装置（Ｘ線装置１０）を遠隔に制御することができる。
【００３８】
この発明は、上記実施形態に限られることはなく、下記のように変形実施することができる。
【００３９】
（１）上述した実施例では、診断装置としてＸ線装置を例に採って説明したが、必ずしもＸ線装置に限定されない。例えば、Ｘ線以外の核医学診断装置や放射線以外の電磁波を用いた診断装置（例えば超音波装置）に適用してもよい。
【００４０】
（２）院内のデバイスの表示手段（実施例ではモニタ１６や問診用のコンピュータ１７のモニタ）に表示するデータは、実施例のような保守関連情報やマニュアルや診断装置（実施例ではＸ線装置１０）の状態に限定されない。例えば、映像系１２（図２を参照）で得られたＸ線画像を読影用の画像として、院内のデバイス１５に送信して、当該デバイス１５の表示手段（モニタ１６や問診用のコンピュータ１７や読影用のコンピュータのモニタ）に表示してもよい。このように、Ｘ線画像に限定されず、診断装置で得られた画像を読影用の画像として、院内のデバイスに送信すればよい。
【符号の説明】
【００４１】
１  …  診断システム
１０  …  （院内の）Ｘ線装置
１５  …  （院内の）デバイス
１６  …  モニタ
１７  …  問診用のコンピュータ１７
２０  …  管理側装置
３０  …  サーバ
【図１】
0006390340.tif 000002
【図２】
0006390340.tif 000003